【手続補正書】
【提出日】令和2年7月30日(2020.7.30)
【手続補正１】
【補正対象書類名】特許請求の範囲
【補正対象項目名】請求項８
【補正方法】変更
【補正の内容】
【請求項８】
コアの周囲に、鍔部を備えるボビン体が配置され、そのボビン体の周囲にコイルが配置された一体化物と、
前記一体化物が内部空間に配置されて当該一体化物を覆うと共に、前記鍔部が開口部を塞いでいるケースと、
前記ケースのうち前記鍔部側に位置すると共に、液状充填材の硬化によって前記ケースの内部空間の半分以下の体積を有するように形成された硬化樹脂部と、
を備えている、
ことを特徴とするアンテナ装置。
【手続補正２】
【補正対象書類名】明細書
【補正対象項目名】００１４
【補正方法】変更
【補正の内容】
【００１４】
また、本発明のアンテナ装置の一側面は、コアの周囲に、鍔部を備えるボビン体が配置され、そのボビン体の周囲にコイルが配置された一体化物と、一体化物が内部空間に配置されて当該一体化物を覆うと共に、鍔部が開口部を塞いでいるケースと、ケースのうち鍔部側に位置すると共に、液状充填材の硬化によってケースの内部空間の半分以下の体積を有するように形成された硬化樹脂部と、を備えている。
【手続補正３】
【補正対象書類名】明細書
【補正対象項目名】００３１
【補正方法】変更
【補正の内容】
【００３１】
【図１】本発明の第１の実施の形態のアンテナ装置の全体構成の一例を示す斜視図である。
【図２】図１に示すアンテナ装置からケースを除去した状態を示す斜視図である。
【図３】図１に示すアンテナ装置の断面構造を示す側面断面図である。
【図４】図１に示すアンテナ装置からケース、コイルおよびコアを除去した状態を示す斜視図である。
【図５】図１に示すアンテナ装置の変形例に係り、アンテナ装置からケースおよびコイルを除去した状態を示す斜視図である。
【図６】本実施の形態において、コア保持突起がコアの外周面に当接している状態を示す平面図である。
【図７】本実施の形態において、コア保持突起の形状を示す平面図であり、（ａ）は三角形状の断面形状を有するコア保持突起を示す図であり、（ｂ）は半楕円状の断面形状を有するコア保持突起を示す図であり、（ｃ）は台状の断面形状を有するコア保持突起を示す図である。
【図８】本実施の形態において、コアの長手方向の一端側の端面に当接するコア保持突起を示す斜視図である。
【図９】図３に示すアンテナ装置のうち、端子取付部付近を拡大して示す側断面図である。
【図１０】本実施の形態において、ボビン体の先端側の嵌合突起付近の構成を示す斜視図である。
【図１１】本実施の形態において、凸部を有するケースの構成を示す斜視図である。
【図１２】図１１に示すケースとボビン体の嵌合構造を示す斜視図である。
【図１３】本実施の形態において、ケースを下方側から見た状態を示す斜視図である。
【図１４】本発明の第２の実施の形態に係るアンテナ装置の構成を示す模式図である。
【図１５】図１４に示すアンテナ装置において、硬化樹脂部が硬化した形態の一例を示す模式図である。
【図１６】本発明の第２の実施の形態に係るアンテナ装置を形成するためのケースと一体化物を示す模式図である。
【図１７】本実施の形態において液状充填材の注入および一体化物の取り付けの様子を示す模式図であり、(ａ)はケースの内部に液状充填材を注入した状態、（ｂ）は一体化物をケースの内部に差し込む途中段階、（ｃ）は一体化物のケースの内部への差し込みが完了した状態を示す図である。
【図１８】本実施の形態においてケースおよび一体化物をひっくり返してアンテナ装置を形成する様子を示す図であり、（ａ）はひっくり返して液状充填材が下方に溜まった状態、（ｂ）は液状充填材が硬化して硬化樹脂部が形成された状態を示している。
【図１９】本実施の形態の変形例に係り、（ａ）は、開口部が鉛直方向の下方を向く状態で、ケースおよび一体化物を傾斜させて液状充填材を注入した状態を示す図であり、（ｂ）は液状充填材が硬化した状態を示す図である。
【図２０】本発明の変形例に係り、ディスペンサを用いてケースの内部に液状充填材を注入する様子を示す図である。
【図２１】図２０の変形例に係り、ケースおよび一体化物を傾斜させて、注入口からディスペンサを用いて液状充填材を注入する様子を示す図である。
【図２２】本発明の変形例に係り、他端底部が存在しなく両端が開口している筒状のケースを用いて、液状充填材を注入するイメージを示す図である。
【図２３】図２２に示すケースに蓋部材が取り付けられてアンテナ装置が形成された状態を示す模式図である。
【図２４】本発明の変形例に係る鍔部の構成を示す模式図である。
【図２５】本発明の変形例に係るアンテナ装置の構成を示す模式図である。
【手続補正４】
【補正対象書類名】明細書
【補正対象項目名】００４９
【補正方法】変更
【補正の内容】
【００４９】
ここで、図６〜図８に示す構成では、アンテナ装置１０に衝撃が加わった場合、コア保持突起３７Ａ１，３７Ａ２とコア２０とが直接接触する部分（第一接触部）、および、コア支持突起３７Ａ３，３７Ａ４とコア２０とが直接接触する部分（第二接触部）とを介して、ボビン体３０からコア２０へと衝撃が伝達されることになる。
【手続補正５】
【補正対象書類名】明細書
【補正対象項目名】００６５
【補正方法】変更
【補正の内容】
【００６５】
図１０に示すように、嵌合突起４３には、その他端側（Ｘ２側）に向かうにつれて、湾曲した湾曲部４４が設けられている。そのため、嵌合凹部７３に嵌合突起４３を挿入する際には、湾曲部４４のガイドによって、その挿入を容易に行うことが可能となっている。しかしながら、嵌合突起４３の形状は、図１０に示すような形状には限られず、それ以外の形状であっても良い。たとえば、嵌合突起４３が直方体形状であっても良い。また、嵌合突起４３の断面は、矩形状以外に、三角形状、半円形状、半楕円形状や、その他の形状であっても良い。
【手続補正６】
【補正対象書類名】明細書
【補正対象項目名】００７０
【補正方法】変更
【補正の内容】
【００７０】
また、嵌合突起４３と凸部７２とが、その全体に亘って嵌合突起４３と接触する場合には、ボビン体３０とコア２０等の一体化物をケース７０の内部に装着する場合、それらボビン体３０とコア２０の他端側（Ｘ２側）の位置が固定される。この場合には、嵌合突起４３の外周面および嵌合凹部７３の内壁面との静摩擦力により、ボビン体３０の位置を固定するため、両者の圧力の目的値を狙って、嵌合突起４３の外形寸法を設定すれば良い。たとえば、嵌合突起４３の外形寸法を、嵌合凹部７３と比べて一回り大きく設計したり、接触面積を増大させるようにしても良い。
【手続補正７】
【補正対象書類名】明細書
【補正対象項目名】００８７
【補正方法】変更
【補正の内容】
【００８７】
なお、図１２においては、長手方向（Ｘ方向）の他方側（Ｘ２側）における、嵌合凹部７３と嵌合突起４３の嵌合構造を示している。しかしながら、嵌合凹部７３と嵌合突起４３の嵌合構造は、長手方向（Ｘ方向）の一方側（Ｘ１側）にも設けられていても良く、長手方向（Ｘ方向）の一方側（Ｘ２側）のみに設けられていても良い。
【手続補正８】
【補正対象書類名】明細書
【補正対象項目名】００９７
【補正方法】変更
【補正の内容】
【００９７】
なお、以下の説明では、アンテナ装置１０の製造方法を説明する。
【手続補正９】
【補正対象書類名】明細書
【補正対象項目名】０１０３
【補正方法】変更
【補正の内容】
【０１０３】
また、天然ゴム、イソプレンゴム、ブタジエンゴム、スチレンブタジエンゴム等のジエン系ゴムや、ブチルゴム、エチレンプロピレンゴム、ウレタンゴム、シリコンゴム等の非ジエン系ゴム等のゴム材料や、ポリオレフィン樹脂、ポリエステル樹脂、ポリエーテル樹脂、ポリウレタン樹脂、ポリシロキサン樹脂、アクリル樹脂、ポリ塩化ビニル樹脂等の各種樹脂、ガラス、繊維、紙、木材等を採用することができる。また、環境を配慮した、天然繊維およびポリ乳酸樹脂などの環境負荷が少ない材料も採用することができる。更に、軽量性の点から、発泡スチロールや、空隙率の高いハニカム構造体、コルゲート構造体、格子構造体であっても良い。
【手続補正１０】
【補正対象書類名】明細書
【補正対象項目名】０１１１
【補正方法】変更
【補正の内容】
【０１１１】
かかる図１９（ａ），（ｂ）に示すように、図１７および図１８に対して、ケース７０および一体化物１００を傾斜させて、液状充填材１１０を固定させ、硬化樹脂部１２０を得るようにしても良い。このように、ケース７０および一体化物１００を傾斜させることにより、コア２０、ボビン体３０およびコイル５０等が液状充填材１１０に浸る面積を大きくすることができ、これら各部品の位置固定の機能を高めることができる。ここで、図１９（ａ），（ｂ）に示すようにケース７０および一体化物１００を傾斜させる場合、ケース７０内部の全長を１００とし、その全長の起点を鍔部３４の他端側の面（Ｘ２側の面）とすると、液状充填材１１０（硬化樹脂部１２０）の６割の体積が、位置２０〜３０までの部位に位置することが好ましい。しかしながら、ケース７０および一体化物１００を傾斜させない場合、液状充填材１１０は、位置２０〜４０の位置に、体積の全体が位置することが好ましい。
【手続補正１１】
【補正対象書類名】明細書
【補正対象項目名】０１２３
【補正方法】変更
【補正の内容】
【０１２３】
なお、図１４に示すようなアンテナ装置１０およびそのアンテナ装置１０の製造方法に関しては、次のようにすることができる。すなわち、ケース７０を用意する。また、ボビン体３０とコア２０とコイル５０を一体的に形成して、一体化物１００を形成する。そして、ケース７０の内部に、液状充填材１１０を充填し、一体化物１００をケース７０内部に挿入し、ケース７０を引っくり返して、その後に硬化樹脂部１２０を形成する。
【手続補正１２】
【補正対象書類名】明細書
【補正対象項目名】０１３０
【補正方法】変更
【補正の内容】
【０１３０】
＜変形例＞
【手続補正１３】
【補正対象書類名】明細書
【補正対象項目名】０１３３
【補正方法】変更
【補正の内容】
【０１３３】
１０…アンテナ装置、２０…コア、３０…ボビン体、３１…ボビン部、３２…先端嵌合部、３３…端子取付部、３３ａ…上面、３４…鍔部、３４ａ１，３４ａ２…フィン部、３４ｂ１，３４ｂ２…凹嵌部、３５…コネクタ接続部、３６…内周面、３６Ａ１，３６Ａ２…幅狭内周面、３６Ａ３，３６Ａ４…幅広内周面、３７，３７Ａ１，３７Ａ２…コア保持突起、３７Ｔ…先端部、３８…開口部、４１…階段部、４３，４３Ａ１，４３Ａ２…嵌合突起、４４…湾曲部、５０…コイル、５２…導線、６０…接続端子、７０…ケース、７０ａ…開口部、７０ｂ…他端底部、７０ｃ…注入口、７０ｄ…第２開口部、７０ｅ…凹嵌部、７１…内周面、７１Ａ１，７１Ａ２…幅狭内周面、７１Ａ３，７１Ａ４…幅広内周面、７２，７２Ａ１，７２Ａ２…凸部、７３，７３Ａ１，７３Ａ２…嵌合凹部、７４…抱持突起、７５…収納部、７６…側面延伸部、７７…外部取付部、７８…嵩上げ部、７９…梁部、８０…肉抜き部、８１…窓部、８２…補強部、１００…一体化物、１１０…液状充填材、１２０…硬化樹脂部、１３０…ディスペンサ、１４０…蓋部材、Ｅ３，Ｅ４…縁部、Ｓ１…隙間、
【手続補正１４】
【補正対象書類名】図面
【補正対象項目名】図２
【補正方法】変更
【補正の内容】
【図２】
2019047382.tif 000001
【手続補正１５】
【補正対象書類名】図面
【補正対象項目名】図１３
【補正方法】変更
【補正の内容】
【図１３】
2019047382.tif 000002
【手続補正１６】
【補正対象書類名】図面
【補正対象項目名】図１４
【補正方法】変更
【補正の内容】
【図１４】
2019047382.tif 000003
【手続補正１７】
【補正対象書類名】図面
【補正対象項目名】図２４
【補正方法】変更
【補正の内容】
【図２４】
2019047382.tif 000004